(57)【特許請求の範囲】
【請求項１】
一面に開口部が形成された筐体の底板に載置された導光板、及び該筐体に固定され、該導光板の一側端面に対向配設された光源を備える光源装置において、
前記筐体の底板には、前記光源の配設側と非配設側とを隔絶する隔絶部が設けられており、
前記筐体の底板は矩形をなし、
前記光源は、前記底板の一辺に配設されており、
前記隔絶部は、前記底板の一対角線に沿って延びる長孔であることを特徴とする光源装置。
【請求項２】
前記筐体の底板は矩形をなし、
前記光源は、前記底板の相対する二辺に配設されており、
前記隔絶部は、前記底板の２つの対角線上に沿って延びる長孔であることを特徴とする請求項１に記載の光源装置。
【請求項３】
一面に開口部が形成された筐体の底板に載置された導光板、及び該筐体に固定され、該導光板の一側端面に対向配設された光源を備える光源装置において、
前記筐体の底板には、前記光源の配設側と非配設側とを隔絶する隔絶部が設けられており、
前記筐体の底板は矩形をなし、
前記光源は、前記底板の相対する二辺に配設されており、
前記隔絶部は、前記底板の２つの対角線上に沿って延びる長孔であることを特徴とする光源装置。
【請求項４】
一面に開口部が形成された筐体の底板に載置された導光板、及び該筐体に固定され、該導光板の一側端面に対向配設された光源を備える光源装置において、
前記筐体の底板には、前記光源の配設側と非配設側とを隔絶する隔絶部が設けられており、
前記筐体の底板は矩形をなし、
前記光源は、前記底板の一辺に配設されており、
前記隔絶部は、前記一辺に沿う方向の全長に亘って延びる長孔であることを特徴とする光源装置。
【請求項５】
前記隔絶部を覆う覆い部を備えることを特徴とする請求項１から請求項４のいずれか１つに記載の光源装置。
【請求項６】
前記覆い部は、前記筐体の底板に固定されていることを特徴とする請求項５に記載の光源装置。
【請求項７】
前記筐体の底板と前記覆い部との間に断熱材が介装されたことを特徴とする請求項６に記載の光源装置。
【請求項８】
請求項１から請求項７のいずれか１つに記載の光源装置と、
該光源装置の開口部を覆う表示パネルとを備え、
前記光源からの出射光を前記表示パネルの背面に照射し、該表示パネルの正面に画像を表示するように構成してあることを特徴とする表示装置。
【発明の詳細な説明】
【技術分野】
【０００１】
本発明は、例えば、液晶パネル（表示パネル）に光を照射するバックライトとして使用される光源装置及び該光源装置を備える表示装置に関する。
【背景技術】
【０００２】
液晶パネルを画像表示部として備える表示装置は、液晶パネルの背面側にバックライト（光源装置）を配し、バックライトの発光を液晶パネルにより変調して透過させ、該液晶パネルの正面に画像を表示するように構成されている。バックライトは、直下型とエッジライト型とに大別されるが、近年では、消費電力の低減及び薄型化の観点からエッジライト型のバックライトが広く採用されている。【０００３】
エッジライト型のバックライトは、一面が開放された浅底箱形のバックライトシャーシ（筺体）内に収容された導光板と光源とを備える。導光板は、透光性を有する樹脂製の板であり、筺体の底板上に載置されている。光源は、筺体の一側壁に沿って配設させており、導光板の一側端面に対向配設され、導光板の一側端面に対向させてある。導光板の周縁部は、筺体の縁部に開放側から嵌め合わせた枠体により、光源の配設位置と共に適幅に亘って覆ってあり、光源の発光は、導光板内に入射した後、該導光板内を拡散しながら進行し、枠体の内側に露出する導光板の一面全体に分布して出射される（例えば、特許文献１参照）。
【先行技術文献】
【特許文献】
【０００４】
【特許文献１】特開２００７−２３２８０９号公報
【発明の概要】
【発明が解決しようとする課題】
【０００５】
しかし、特許文献１に記載の表示装置は、光源の発光に伴って発生する熱が筺体の底板を介して他側壁に伝わり、該他側壁に反り又は撓み等の変形を発生させるという問題があった。【０００６】
本発明は斯かる事情に鑑みてなされたものであり、その目的とするところは、光源の発光に伴って発生する熱による筺体の側壁の変形を抑止できる光源装置及び表示装置を提供することにある。
【課題を解決するための手段】
【０００７】
一態様の光源装置は、一面に開口部が形成された筐体の底板に載置された導光板、及び該筺体に固定され、該導光板の一側端面に対向配設された光源を備える光源装置において、前記筺体の底板には、前記光源の配設側と非配設側とを隔絶する隔絶部が設けられていることを特徴とする。【０００８】
一態様の光源装置は、前記筺体の底板は矩形をなし、前記光源は、前記底板の一辺に配設されており、前記隔絶部は、前記一辺に沿う方向に延びる長孔であることを特徴とする。【０００９】
一態様の光源装置は、前記筺体の底板は矩形をなし、前記光源は、前記底板の一辺に配設されており、前記隔絶部は、前記底板の一対角線に沿って延びる長孔であることを特徴とする。【００１０】
一態様の光源装置は、前記筺体の底板は矩形をなし、前記光源は、前記底板の相対する二辺に配設されており、前記隔絶部は、前記底板の２つの対角線上に沿って延びる長孔であることを特徴とする。【００１１】
一態様の光源装置は、前記筺体の底板に固定され、前記隔絶部を覆う覆い部を備えることを特徴とする。【００１２】
一態様の光源装置は、前記筺体の底板と前記覆い部との間に断熱材が介装されたことを特徴とする。【００１３】
一態様の表示装置は、光源装置と、該光源装置の開口部を覆う表示パネルとを備え、前記光源からの出射光を前記表示パネルの背面に照射し、該表示パネルの正面に画像を表示するように構成してあることを特徴とする。
【発明の効果】
【００１４】
本発明によれば、光源の発光に伴って発生する熱による筺体の側壁の変形を抑止できる。
【図面の簡単な説明】
【００１５】
【図１】実施の形態１に係る表示装置の正面側の外観を略示する斜視図である。
【図２】実施の形態１に係る表示装置の外観を略示する背面図である。
【図３】図２のＩＩＩ−ＩＩＩ線による縦断面図である。
【図４】実施の形態２に係る表示装置の外観を略示する背面図である。
【図５】実施の形態３に係る表示装置の外観を略示する背面図である。
【発明を実施するための形態】
【００１６】
実施の形態１
以下、本発明をその実施の形態を示す図面に基づいて詳述する。図１は実施の形態１に係る表示装置の正面側の外観を略示する斜視図である。図示の表示装置は、矩形板状をなす画像表示用の液晶パネル（表示パネル）１と、該液晶パネル１に光を照射するバックライト２とを備えている。以下の説明においては、液晶パネル１の画像表示面の側を正面側、他側を背面側とする。
【００１７】
液晶パネル１には、枠体１０が、正面（画像表示面）の周縁を適幅に亘って縁取るように組み付けてある。図１には、枠体１０の枠内に露出する液晶パネル１の画像表示面のみが示されている。液晶パネル１の背面側には、バックライト２が組み付けてある。
【００１８】
表示装置は、更にスタンド１３を備えており、該スタンド１３を介して適宜の載置面上に支持し、図１に示す如く、液晶パネル１の画像表示面を縦姿勢に保って使用される。以下の説明で使用する上、下は、前述した使用状態での上、下に対応し、同じく左、右は、使用状態において正面側から見て左、右に対応する。
【００１９】
図２は実施の形態１に係る表示装置の外観を略示する背面図である。図３は図２のＩＩＩ−ＩＩＩ線による縦断面図である。図３に示すように、バックライト２は、浅底箱形をなすバックライトシャーシ（筺体）２０と、バックライトシャーシ２０の底板２１に載置した導光板２５と、バックライトシャーシ２０内に収容された光源２４とを備える。
【００２０】
導光板２５は透光性を有する樹脂製の板であり、バックライトシャーシ２０よりやや小さい矩形形状をなしている。導光板２５には背面の全面に亘って反射シート２７が積層されてあり、正面の全面に亘って光学シート２６が積層されてある。
【００２１】
光源２４は細長い矩形の基板と、基板の一面に長手方向に沿って並設された複数のＬＥＤ（Light Emitting Diode：発光ダイオード）とを備えている。光源２４は、ＬＥＤの並設側を導光板２５の端面に向け、図２に示す如く、バックライトシャーシ２０の下辺に沿って配設されている。
【００２２】
図２に示すように、バックライトシャーシ２０の底板２１は矩形であり、光源２４の配設側と非配設側とを隔絶する隔絶部２３０を備える。実施の形態１の隔絶部２３０は、底板２１の上下方向の略中央部に設けられ、光源２４が配設された一辺（下辺）に沿う方向、即ち、左右方向の略全長に亘って延びる長孔である。
【００２３】
図２に示す如く、隔絶部としての長孔２３０は、全長に亘って覆い部２３１により覆われている。覆い部２３１は、図３に示す如く、広幅のＵ字形断面を有するアングル材であり、開口側を底板２１に向け、該底板２１の外面から垂直に立設されたボス２１１、２１２間に架け渡し、夫々のボス２１１、２１２にビス２３４、２３４によりねじ止め固定されている。ボス２１１、２１２は、長孔２３０の相対向する端縁に沿って各複数並設されており、図２に示す如く、ビス２３４によるねじ止めは、夫々のボス２１１、２１２の位置に対応する複数箇所にてなされている。
【００２４】
図３に示す如く、ボス２１１、２１２と覆い部２３１との間には、ワッシャ２３３が介装されている。ワッシャ２３３は、セラミックス、多孔質のシリコンゴム等の断熱性を有する材料製であり、ボス２１１、２１２が立設された底板２１と、覆い部２３１との間の熱伝達を防止する断熱材としての機能を果たす。
【００２５】
表示装置は上述のバックライト２に枠体１０を嵌め合わせ、バックライトシャーシ２０の左右両端縁をビス２２３により枠体１０に対して固定することにより構成される。
【００２６】
以上の如く構成された表示装置において、光源２４の発光は導光板２５の一端面から入射され、導光板２５及び光学シート２６による拡散を経て液晶パネル１の背面に照射される。液晶パネル１は、照射光を変調して透過させ、正面に画像を表示する。
【００２７】
本実施形態によれば、バックライトシャーシ２０の底板２１には、光源２４の配設側と非配設側とを隔絶する隔絶部２３０が設けられているため、光源２４の発光に伴って発生する熱が底板２１を介して光源２４の非配設側へ伝わることを防止できる。このことにより光源２４の非配設側の側壁における熱膨張を従来より小さくすることでバックライトシャーシ２０の側壁の変形を抑止できる。
【００２８】
本実施形態によれば、バックライトシャーシ２０の底板２１が隔絶部２３０を覆い部２３１で覆うことにより補強されているため、隔絶部２３０を設けたことによるバックライトシャーシ２０の強度不足を補うことができる。
【００２９】
本実施形態によれば、覆い部２３１とボス２１１、２１２との間に断熱材としてのワッシャ２３３が介装されているため、光源２４の発光に伴って発生する熱が覆い部２３１を介して光源２４の非配設側の側壁へ伝わることを防止できる。
【００３０】
実施の形態２
図４は実施の形態２に係る表示装置の外観を略示する背面図である。以下、特に説明する構成、作用以外の構成及び作用は実施の形態１と同等であり、簡潔のため記載を省略する。バックライトシャーシ２０の底板２１は一対角線上に沿って延びる隔絶部としての長孔２３０を備える。光源２４は底板２１の一長辺に設けられている。
【００３１】
本実施形態によれば、バックライトシャーシ２０の底板２１には、一対角線上に沿って延びる隔絶部２３０が設けられているため、底板２１の一長辺に光源２４を設けた表示装置に対応することができる。
【００３２】
なお、本実施形態によれば、バックライトシャーシ２０は一長辺に設けられたが、一短辺に設けられてもよい。
【００３３】
実施の形態３
図５は実施の形態３に係る表示装置の外観を略示する背面図である。以下、特に説明する構成、作用以外の構成及び作用は実施の形態１と同等であり、簡潔のため記載を省略する。バックライトシャーシ２０の底板２１は、２つの対角線上に沿って延びる隔絶部２３０を備える。
【００３４】
光源２４はＬＥＤの並設面が導光板２５の左右の両側端面に対向させて、底板２１の両短辺に固定されている。覆い部２３１は側面視Ｘ形状をなす。
【００３５】
なお、本実施形態に係る光源２４はＬＥＤの並設面が導光板２５の左右の両側端面に対向し、底板２１の両短辺に固定されたが、光源２４はＬＥＤの並設面が導光板２５の上下の両側端面に対向し、底板２１の両長辺に固定されてもよい。
【００３６】
本実施形態によれば、光源２４は導光板２５の左右又は上下の両側端面に対向し、光源２４が底板２１の左右の両短辺又は上下の両長辺に固定される表示装置に対応することができる。
【００３７】
今回開示された実施の形態はすべての点で例示であって、制限的なものではないと考えられるべきである。本発明の範囲は、上記した意味ではなく、請求の範囲によって示され、請求の範囲と均等の意味及び範囲内でのすべての変更が含まれることが意図される。
【符号の説明】
【００３８】
１  液晶パネル（表示パネル）
２  バックライト（光源装置）
２０  バックライトシャーシ（筺体）
２１  底板
２４  光源
２５  導光板
２３０  隔絶部（長孔）
２３１  覆い部
２３３  ワッシャ（断熱材）
【図１】
0006469710.tif 000002
【図２】
0006469710.tif 000003
【図３】
0006469710.tif 000004
【図４】
0006469710.tif 000005
【図５】
0006469710.tif 000006